(57)【要約】【課題】乾燥完了後の衣類のシワを抑制し、乾燥仕上がりを向上させる衣類乾燥機を提供することを目的とする。【解決手段】衣類等を収容する回転ドラム１と、回転ドラム１を回転させるモータ５と、回転ドラム１内に温風を供給する温風供給手段と、モータ５及び温風供給手段を制御する制御手段５０とを備え、制御手段５０は、乾燥工程中に、回転ドラム１の回転数を増加させることにより、乾燥工程、特に乾燥工程前半において回転ドラムの回転数を高めることで回転ドラム内の中心部分に衣類の疎空間を作り出し、この疎空間を利用して衣類を広げながら乾燥させ、衣類の乾燥の仕上がり状態を向上させることができる。【選択図】図１
2016049319.tif 000002
【特許請求の範囲】
【請求項１】
衣類等を収容する回転ドラムと、回転ドラムを回転させる駆動装置と、前記回転ドラム内に温風を供給する温風供給手段と、前記駆動装置及び温風供給手段を制御する制御手段とを備え、前記制御手段は、乾燥工程中に、一時的に前記回転ドラムの回転数を増加させることを特徴とする衣類乾燥機。
【請求項２】
前記制御手段は、乾燥工程前半に一時的に前記回転ドラムの回転数を増加させことを特徴とする請求項１に記載の衣類乾燥機。
【請求項３】
前記制御手段は、乾燥の進行にあわせて一時的に前記回転ドラムの回転数を増加させことを特徴とする請求項１に記載の衣類乾燥機。
【請求項４】
前記回転ドラムからの排気の温度を検出する温度センサを設け、前記制御手段は、前記温度センサの出力に基づいて衣類等の乾燥の進行を判定することを特徴とする請求項３に記載の衣類乾燥機。
【請求項５】
前記温風供給手段は、ヒートポンプ装置を用いたことを特徴とする請求項１から４のいずれか１項に記載の衣類乾燥機。
【請求項６】
前記温風供給手段は、ヒータを用いたことを特徴とする請求項１から４のいずれか１項に記載の衣類乾燥機。
【発明の詳細な説明】
【技術分野】
【０００１】
本発明は、衣類等の乾燥機能を備えた衣類乾燥機に関するものである。
【背景技術】
【０００２】
従来、ドラム式洗濯乾燥機は、衣類を収容するドラム内へ送風機により高温低湿の空気を送風し、ドラム内の衣類の乾燥を行っている。高温低湿の空気を作り出す手段として、ヒータが用いられる。
【０００３】
また、近年は、ヒータの代わりに省エネに優れたヒートポンプ装置を用いて乾燥する技術が知られている（特許文献１）。
【０００４】
特許文献１のヒートポンプ装置は、圧縮機、放熱器、減圧器および吸熱器を設け、配管等で連結され、冷媒が充填されている。
【０００５】
ヒートポンプ装置では、まず圧縮機にて冷媒を高温高圧とし、放熱器にて外部と熱交換を行い、外部に熱を与え、液化する。その後、減圧器で低温低圧となり、次に置かれた吸熱器にて外部と熱交換を行い、外部の熱を奪い気化する。気化した冷媒は、圧縮機へと戻り、一連の冷凍サイクルを形成する。
【０００６】
放熱器にて加温した高温低湿の空気を送風機にてドラム内へ送り、ドラムの湿布と接触させることで低温高湿の空気を作る。この低温高湿の空気は、循環風路下流側に置かれた吸熱器にて熱交換し、熱を奪うことで除湿する。除湿された空気は、再び放熱器にて加温され、これら一連のサイクルにて乾燥対象となる衣類の除湿を可能とする。
【０００７】
また、満遍なく衣類を乾燥させるために、乾燥工程中は制御部で回転ドラムの回転数を制御し、衣類を攪拌しながら前述のようにヒートポンプ装置で除湿を行う。
【０００８】
なお、送風機で風を吹きつける効果としては、衣類を広げ、引き伸ばす効果もあり、風量を高めたり、風向を工夫したりすることにより、衣類の乾燥仕上がりを改善することができる。
【先行技術文献】
【特許文献】
【０００９】
【特許文献１】特開２０１３−５２０６６号公報
【発明の概要】
【発明が解決しようとする課題】
【００１０】
しかしながら、ドラム容積に対して衣類が多い場合には、送風機からの送風により衣類が広がる空間が不足し、衣類が折りたたまれた状態で乾燥が進行する。このような状態になると、乾燥完了後に衣類にシワが発生することがある。
【００１１】
本発明は、前記従来の課題を解決するもので、乾燥完了後の衣類のシワを抑制し、乾燥仕上がりを向上させる衣類乾燥機を提供することを目的とする。
【課題を解決するための手段】
【００１２】
本発明の衣類乾燥機は、衣類等を収容する回転ドラムと、回転ドラムを回転させる駆動装置と、前記回転ドラム内に温風を供給する温風供給手段と、前記駆動装置及び温風供給
手段を制御する制御手段とを備え、前記制御手段は、乾燥工程中に、一時的に前記回転ドラムの回転数を増加させるものである。
【００１３】
乾燥工程、特に乾燥工程前半において一時的に回転ドラムの回転数を増加することで回転ドラム内の中心部分に衣類の疎空間を作り出し、この疎空間を利用して衣類を広げながら乾燥させ、衣類の乾燥の仕上がり状態を向上させることができる。
【発明の効果】
【００１４】
本発明の衣類乾燥機は、乾燥後の衣類のシワを抑制し、乾燥仕上がりを向上させることができる。
【図面の簡単な説明】
【００１５】
【図１】本発明の実施の形態１に係るドラム式洗濯乾燥機の概略構成を示す側面断面図
【図２】同ドラム式洗濯乾燥機の後方からの等角投影図
【図３】同ヒートポンプ装置およびヒートポンプ装置筐体の平面図
【図４】従来の乾燥工程における衣類群の攪拌イメージ図である。
【図５】本発明の実施の形態１における乾燥工程における衣類群の攪拌イメージ図
【発明を実施するための形態】
【００１６】
本発明の実施の形態に係るドラム式洗濯乾燥機について、添付図面を参照しながら説明する。なお、以下の実施の形態は、発明を具体化した一例であって、本発明の技術的範囲を限定するものではない。
【００１７】
（実施の形態１）
図１は、本発明の実施の形態１におけるドラム式洗濯機の側面断面図である。図２は、後方からの等角投影図であり、内部構成を説明するために、洗濯機筐体の一部を省略している。
【００１８】
図１に示すように、回転ドラム１は、有底円筒形に形成し、外周部の全面に多数の通水孔２を設け、水槽３内に回転自在に配設している。回転ドラム１の回転中心に傾斜方向に回転軸（回転中心軸）４を設け、回転ドラム１の軸心方向を正面側から背面側に向けて下向きに傾斜させて配設している。回転軸４には、水槽３の背面に取り付けたモータ５を連結し、回転ドラム１を正転、逆転方向に回転駆動する。
【００１９】
回転ドラム１の内壁面には、衣類撹拌用の複数個の突起板６を設けている。
【００２０】
水槽３の正面側の上向き傾斜面に衣類出入口８を設け、衣類出入口８を蓋体７により開閉自在に覆い、蓋体７を開くことにより衣類出入口８を通して回転ドラム１内に洗濯物を出し入れできるようにしている。
【００２１】
水槽３は、洗濯機本体１００下方に配設した防振部材９等により揺動可能に防振支持され、水槽３の下部に排水経路１０の一端を接続し、排水経路１０の他端を排水弁（排水手段）１１に接続して水槽３内の洗濯水を排水するようにしている。給水弁（給水手段）１２は、給水経路１３を通して水槽３内に水を給水するものである。制御手段５０は、本体１００の中に配置されており、モータ５、ヒートポンプ装置３０、後述する送風機４０等を制御している。
【００２２】
なお、本実施の形態では、回転ドラム１の回転軸４を傾斜方向に配設し、回転ドラム１の軸心方向を正面側から背面側に向けて下向きに傾斜させて配設しているが、水平方向に
配設してもよい。
【００２３】
モータ５は、直流ブラシレスモータ等で構成され、前記制御手段５０およびモータ駆動回路６０等により正逆回転、および回転数可変に制御されると共に、電流検知回路６５からの信号により、モータ５に加わる負荷、即ち洗濯物の量を検知する。
【００２４】
衣類の乾燥にはヒートポンプ装置３０を用い、水槽３、排気ホース７０、フィルターケース６１、ダクト７１、ヒートポンプ装置３０、送風ホース７２、送風機４０により循環風路を形成する。
【００２５】
図３は、本発明の実施の形態１におけるヒートポンプ装置およびヒートポンプ装置筐体の平面図であり、図３においては、内部構成を説明するために、ヒートポンプ装置筐体の一部を省略している。
【００２６】
ヒートポンプ装置３０は、ヒートポンプ装置筐体３１内に圧縮機３２、放熱器３３、減圧器３４および吸熱器３５を設け、これらを配管３６等で連結し、冷媒を充填している。ヒートポンプ装置３０は、圧縮機３２にて冷媒を高温高圧とし、放熱器３３にてヒートポンプ装置筐体３１内の空気と熱交換を行い、熱を与え冷媒３７を液化する。その後、減圧器３４で低温低圧となり、次に吸熱器３５にてヒートポンプ装置筐体３１内の空気と再び熱交換を行い、熱を奪い冷媒を気化する。気化した冷媒は、圧縮機３２へと戻り、一連の冷凍サイクルを形成する。
【００２７】
ヒートポンプ装置３０に用いる冷媒としては、ＨＦＣ（ハイドロフルオロカーボン）系冷媒、ＨＦＯ（ハイドロフルオロオレフィン）系冷媒、二酸化炭素冷媒などの一般的な冷媒を使用することができる。
【００２８】
ヒートポンプ式乾燥機では、放熱器３３にて加温した高温低湿の空気を筐体出口３１ｂに接続した送風機４０にて循環風路、吹出口４２を通して回転ドラム１内へ送り、回転ドラム１の湿布と接触させることで低温高湿の空気を作る。低温高湿の空気は、循環風路、筐体入口３１ａを通過し、吸熱器３５にて熱交換し、熱を奪うことで除湿する。除湿された空気は、再び放熱器３３にて加温され、これら一連のサイクルにより衣類の除湿を可能とする。
【００２９】
除湿した水は、ヒートポンプ装置筐体３１に取り付けたポンプによって外部へと排水する。ポンプは、ヒートポンプ装置筐体３１以外の場所に取り付けることも可能であり、またポンプを使わずに自然排水することも可能である。
【００３０】
上記のように、乾燥工程中においては、制御部５０により送風機４０およびヒートポンプ装置３０を制御し、衣類群に高温低湿の風を吹き付けて乾燥させる。風を吹きつけることにより、衣類を広げ、また伸ばしながら乾燥させることにより乾燥の仕上がりを高める効果もある。
【００３１】
しかしながら、回転ドラム１内の衣類群の容積が多い場合、送風機４０からの送風で衣類が広がる空間が不足し、衣類が折りたたまれた状態で乾燥が進行し、衣類にシワ等が増える可能性がある。
【００３２】
衣類のしわ等の発生を抑制するために、本発明では、乾燥工程中の回転ドラム１の回転数を一時的に高め、送風機４０からの送風により衣類群が広がりながら衣類を乾燥させることで、衣類群の容積が多い場合であっても、衣類シワの発生を抑制する。
【００３３】
図４は、従来の乾燥工程における衣類群の攪拌イメージ図、図５は、本発明の実施の形態１における乾燥工程における衣類群の攪拌イメージ図である。
【００３４】
図４に示すように、従来の乾燥工程における衣類群は、突起板６で衣類を攪拌させながら吹出口４２から高温低湿の風を吹きつけ、乾燥対象の衣類を乾燥させる。
【００３５】
しかしながら、衣類群の量が多い場合には、衣類が広がる空間が不足するため、吹出口４２から吹きつける風では十分に衣類が広がらず、乾燥仕上がりが低下することがある。
【００３６】
本発明では、乾燥工程中において、回転ドラム１の回転数を一時的に高めている。回転ドラムの回転数を高めることにより、遠心力により衣類群を回転ドラム１の外周側に移動させ、回転ドラム１の中央部に衣類群の少ない疎空間を形成し、衣類群を吹出口４２からの風によって広げて伸ばしながら乾燥できる空間を確保する。
【００３７】
回転ドラム１の回転数は、回転ドラム１の直径が例えば５００ｍｍ程度の場合には、従来は４５〜５５ｒｐｍ程度であるが、本発明は、５５〜７０ｒｐｍでドラムを回転させ、衣類群を従来よりも回転ドラム１に張り付けた状態とする。
【００３８】
乾燥工程中の乾燥開始〜終了まで回転数が高い状態を維持し続けた場合、疎空間があるゆえに衣類の攪拌が不十分になることがあるため、回転数を高めた状態は一時的なものとしている。回転ドラム１の回転数を高めるタイミングについては、衣類のシワが固着する前の乾燥工程の前半における適用が好ましい。回転ドラム１には、温風の排気側に回転ドラム１から排気される空気の温度を検出する温度センサを設け、制御手段５０は、温度センサの検出温度に基づいて衣類の乾燥の進行状況を判断している。
【００３９】
上記のように、乾燥工程の一定期間、望ましくは乾燥工程の前半において、衣類が広がった状態で乾燥を進行させることにより、衣類の仕上がりを高めることが可能となる。
【００４０】
本実施の形態では、回転ドラム１の回転数を５５〜７０ｒｐｍとしているが、回転数を限定するものではない。また、回転数を滑らかに段階的に変化させてもよい。
【００４１】
また、本実施の形態では、乾燥工程の前半で回転ドラム１の回転数を高める例を挙げているが、タイミングを限定するものではなく、衣類の乾燥の進行状況に合わせて回転ドラム１の回転数を高めるように制御してもよい。
【００４２】
また、本実施の形態では、ヒートポンプ装置３０を本体１００下部に設置しているが、上部に設置してもよい。また、送風機４０は、ヒートポンプ装置３０と離れた場所に配置しているが、直接接続してもよい。
【００４３】
また、本実施の形態では、ヒートポンプ式による乾燥装置としているが、ヒータ式による乾燥装置としてもよい。
【００４４】
本実施の形態は、洗濯乾燥機を例にとり説明したが、洗濯機能を有さない衣類乾燥機に用いてもよい。
【産業上の利用可能性】
【００４５】
本発明の衣類乾燥機は、衣類のしわの発生を抑制できるので、洗濯乾燥機以外に、洗濯機能を有さない衣類乾燥機にも適用できる。
【符号の説明】
【００４６】
１  回転ドラム
３  水槽
４  回転軸
５  モータ
６  突起板
３０  ヒートポンプ装置
３１  ヒートポンプ装置筐体
３１ａ  筐体入口
３１ｂ  筐体出口
３２  圧縮機
３３  放熱器
３４  減圧器
３５  吸熱器
３６  配管
４０  送風機
４２  吹出口
５０  制御手段
１００  洗濯機本体
【図１】
2016049319.tif 000003
【図２】
2016049319.tif 000004
【図３】
2016049319.tif 000005
【図４】
2016049319.tif 000006
【図５】
2016049319.tif 000007